(57)【特許請求の範囲】
【請求項１】
外部電源と前記外部電源から機器を駆動する電圧を生成する前記機器の電源装置とを接続する一対の電源ラインに介装される漏電安全装置であって、
前記一対の電源ラインのそれぞれに流れる電流の大きさの相違から漏電の有無を検出する漏電検出部と、
漏電を検出した場合に、前記一対の電源ラインを遮断するリレーと、
スイッチ操作により、前記リレーによる前記一対の電源ラインの遮断状態を解除するためのリセット経路が閉成されるリセット回路と、
前記電源装置に接続可能に構成され、前記電源装置に電力を供給する出力部と、
前記出力部に前記電源装置が接続されている場合に、前記リセット経路を遮断するリセット経路遮断部と、を備えた、漏電安全装置。
【請求項２】
前記出力部に前記電源装置が接続されているか否かを検出する接続検出経路を備え、
前記接続検出経路は、一部が電源装置側に設けられ、前記出力部に前記電源装置が接続された状態で前記接続検出経路が閉成されるように構成され、
前記リセット経路遮断部は、前記接続検出経路が閉成された場合に前記リセット経路を遮断するよう構成される、請求項１に記載の漏電安全装置。
【請求項３】
前記出力部は、前記電源装置に接続されるコネクタを備え、
前記コネクタは、
前記一対の電源ラインのそれぞれに接続される第１ポートおよび第２ポートと、
前記接続検出経路の前記電源装置側の経路における第１端部に接続するための第３ポートと、
前記接続検出経路の前記電源装置側の経路における第２端部に接続するための第４ポートと、を備えている、請求項２に記載の漏電安全装置。
【請求項４】
前記一対の電源ラインの一方に接続されるテスト回路を備え、
前記テスト回路は、スイッチ操作により、前記一対の電源ラインの一方を所定の基準電圧源に接続して前記一対の電源ラインのそれぞれに流れる電流の大きさの相違を発生させるように構成される、請求項１または２に記載の漏電安全装置。
【請求項５】
請求項１から４の何れかに記載の漏電安全装置を備えた、給湯装置。
【発明の詳細な説明】
【技術分野】
【０００１】
本発明は、漏電安全装置およびそれを備えた給湯装置に関する。
【背景技術】
【０００２】
従来、外部電源と給湯装置等の機器の電源装置との間に漏電安全装置が介装された構成が知られている。漏電安全装置は、漏電が発生した場合に、電源装置への電力を遮断するためのリレーを有している。さらに、漏電安全装置には、電力遮断状態となったリレーをスイッチ操作によりリセットするためのリセット回路が設けられている。
【０００３】
例えば、漏電安全装置には、当該漏電安全装置が正常に機能するかどうか、すなわち、漏電発生時に漏電を検出し、リレーを遮断状態に作動させることができるかどうかをスイッチ操作により確認するためのテスト回路が設けられている場合がある（例えば特許文献１等参照）。このテスト回路は、スイッチ操作を行うことにより、疑似的に漏電検出状態を作り出すように構成されている。このようなテスト回路を用いたテストにより正常にリレーが遮断状態となった場合、リセット回路のスイッチを操作（リセット操作）することで、当該遮断状態を解除することができる。
【先行技術文献】
【特許文献】
【０００４】
【特許文献１】特許第４１５５０１７号公報
【発明の概要】
【発明が解決しようとする課題】
【０００５】
このようなリセット操作は、漏電安全装置から電源装置を外した状態で行う必要がある。漏電安全装置に電源装置を接続した状態で、リセット操作を行うことにより、リレーを遮断状態から解除すると、電源装置に突入電流が流れ、電源装置または漏電安全装置が損傷してしまう恐れがある。例えば電源装置がコンデンサインプット型電源回路を有する場合、リセット操作により、突入電流が当該電源回路のコンデンサへ流れるとともに、当該突入電流が閉成状態のリレーにも流れることにより、リレーが破損してしまう恐れがある。
【０００６】
漏電安全装置に電源装置を接続した状態でのテスト操作およびリセット操作をユーザに禁止したり、当該操作により漏電安全装置が損傷する旨の注意喚起を行ったりしても、完全に守られる保障はなく、また、誤って当該操作を行ってしまう可能性もある。
【０００７】
このような問題に対して、突入電流の防止回路を追加したり、リレーの定格電流を上げたりすることも考えられるが、装置が大型化したり、コストが増大したりする問題が生じる。
【０００８】
本発明は、以上のような課題を解決すべくなされたものであり、簡単な構成で、電源装置が接続された状態でリセット操作を行っても電源装置または漏電安全装置が損傷することを防止することができる漏電安全装置およびこれを備えた給湯装置を提供することを目的とする。
【課題を解決するための手段】
【０００９】
本発明の一態様に係る漏電安全装置は、外部電源と前記外部電源から機器を駆動する電圧を生成する前記機器の電源装置とを接続する一対の電源ラインに介装される漏電安全装置であって、前記一対の電源ラインのそれぞれに流れる電流の大きさの相違から漏電の有無を検出する漏電検出部と、漏電を検出した場合に、前記一対の電源ラインを遮断するリレーと、スイッチ操作により、前記リレーによる前記一対の電源ラインの遮断状態を解除するためのリセット経路が閉成されるリセット回路と、前記電源装置に接続可能に構成され、前記電源装置に電力を供給する出力部と、前記出力部に前記電源装置が接続されている場合に、前記リセット経路を遮断するリセット経路遮断部と、を備えている。
【００１０】
上記構成によれば、漏電安全装置に電源装置が接続されている場合には、リセット経路遮断部によりリセット経路が遮断されているため、リセット回路のスイッチを操作してリセット経路を閉成しようとしてもリセット経路は閉成されない。したがって、漏電安全装置に電源装置が接続されている状態では、一旦リレーが遮断状態になった後、当該遮断状態がリセットされて一対の電源ラインが導通状態になることを防止することができる。これにより、簡単な構成で、リセット操作を行っても電源装置または漏電安全装置が損傷することを防止することができる。
【００１１】
前記出力部に前記電源装置が接続されているか否かを検出する接続検出経路を備え、前記接続検出経路は、一部が電源装置側に設けられ、前記出力部に前記電源装置が接続された状態で前記接続検出経路が閉成されるように構成され、前記リセット経路遮断部は、前記接続検出経路が閉成された場合に前記リセット経路を遮断するよう構成されてもよい。この場合、リセット経路を遮断するための接続検出経路の一部が電源装置側に設けられているため、漏電安全装置に電源装置が接続されていない場合にのみ、リセット経路を導通可能とする構成を簡単な構成で実現することができる。
【００１２】
前記出力部は、前記電源装置に接続されるコネクタを備え、前記コネクタは、前記一対の電源ラインのそれぞれに接続される第１ポートおよび第２ポートと、前記接続検出経路の前記電源装置側の経路における第１端部に接続するための第３ポートと、前記接続検出経路の前記電源装置側の経路における第２端部に接続するための第４ポートと、を備えていてもよい。この場合、漏電安全装置における一対の電源ラインを電源装置に接続するためのコネクタに、漏電安全装置側の接続検出経路と電源装置側の接続検出経路とを接続するためのポートが設けられる。したがって、漏電安全装置に電源装置がコネクタを介して接続されると同時に接続検出経路が閉成されるため、漏電安全装置に電源装置が接続された状態において確実にリセット経路を遮断することができる。
【００１３】
前記一対の電源ラインの一方に接続されるテスト回路を備え、前記テスト回路は、スイッチ操作により、前記一対の電源ラインの一方を所定の基準電圧源に接続して前記一対の電源ラインのそれぞれに流れる電流の大きさの相違を発生させるように構成されてもよい。これによれば、スイッチ操作により、一対の電源ライン間に電位差を発生させて、漏電を模擬させるテスト回路を設けた場合であっても、漏電安全装置に電源装置が接続されている状態では、リセット操作によりリレーの遮断状態が解除されるのを有効に防止することができる。
【００１４】
また、本発明の他の一態様に係る給湯装置は、上記構成の漏電安全装置を備えている。
【発明の効果】
【００１５】
一態様によれば、簡単な構成で、電源装置が接続された状態でリセット操作を行っても電源装置または漏電安全装置が損傷することを防止することができるという効果を奏する。
【図面の簡単な説明】
【００１６】
【図１】図１は、一実施の形態に係る漏電安全装置を電源装置に接続した状態の概略構成を示す回路図である。
【図２】図２は、図１に示す漏電安全装置および電源装置の外観を示す概略斜視図である。
【図３】図３は、本実施の形態における漏電安全装置の出力部および電源装置の入力部の他の例を示す図である。
【図４】図４は、本実施の形態の変形例１における漏電安全装置および電源装置の概略構成を示す図である。
【図５】図５は、本実施の形態の変形例２における漏電安全装置および電源装置の概略構成を示す図である。
【図６】図６は、本実施の形態の変形例３における漏電安全装置および電源装置の概略構成を示す図である。
【図７】図７は、本実施の形態における漏電安全装置が適用される給湯装置の一例を示す作動原理図である。
【発明を実施するための形態】
【００１７】
以下、本発明の実施の形態を、図面を参照しながら説明する。なお、以下では全ての図を通じて同一又は相当する要素には同一の参照符号を付して、その重複する説明を省略する。
【００１８】
図１は、一実施の形態に係る漏電安全装置を電源装置に接続した状態の概略構成を示す回路図である。図１に示すように、本実施の形態における漏電安全装置１は、外部電源２と外部電源２から機器を駆動する電圧を生成する機器の電源装置３とを接続する一対の電源ライン４ａ，４ｂに介装される。外部電源２は、例えば商用電源であり、配電盤またはコンセント等を通じて漏電安全装置１の入力部５に接続される。漏電安全装置１は、電源装置３に接続可能に構成され、電源装置３に電力を供給する出力部６を備えている。
【００１９】
本実施の形態において、出力部６は、電源装置３に接続されるコネクタ（出力コネクタ）７を備えている。電源装置３の入力部８は、漏電安全装置１の出力コネクタ７に嵌合可能に構成される入力コネクタ９を備えている。漏電安全装置１の出力コネクタ７に電源装置３の入力コネクタ９が嵌合されることにより、一対の電源ライン４ａ，４ｂを介して外部電源２の電力が電源装置３の電源回路１０に供給される。本実施の形態において、電源回路１０は、コンデンサを用いたコンデンサインプット型の電源回路１０（電源基板）が例示される。電源回路１０の入力部には、一対の電源ライン４ａ，４ｂを介して外部電源２からの交流電流が入力される。したがって、漏電が発生していない正常時において、一対の電源ライン４ａ，４ｂには、逆向きかつ互いに等しい大きさの電流が流れる。
【００２０】
漏電安全装置１は、一対の電源ライン４ａ，４ｂのそれぞれに流れる電流の大きさの相違から漏電の有無を検出する漏電検出部１１を備えている。漏電検出部１１は、例えば零相変流器（ＺＣＴ）１２と、所定の電源１７により駆動される動作ＩＣ１５とを含む。本例において、動作ＩＣ１５は、８ピンの集積回路チップにより構成されている。零相変流器１２は、一対の電源ライン４ａ，４ｂの電流の合成値に基づいた電流が２次側回路１３のコイル１４に流れるように構成されている。正常時においては、上述のように、一対の電源ライン４ａ，４ｂ間には、逆向きかつ互いに等しい大きさの電流が流れるため、一対の電源ライン４ａ，４ｂの電流の合成値は、０である。したがって、２次側回路１３のコイル１４には、電流は流れない。
【００２１】
一方、一対の電源ライン４ａ，４ｂの何れかが地絡する漏電時においては、一対の電源ライン４ａ，４ｂ間で電流の大きさが異なるようになるため、２次側回路１３のコイル１４には、電流が流れる。２次側回路１３は、コイル１４に流れる電流に基づいて電位差を発生させる。漏電検出部１１の動作ＩＣ１５は、２次側回路１３で発生した電位差を検出し、所定の電圧を電圧出力部１６から出力する。なお、漏電検出部１１には、動作ＩＣ１５の代わりに、２次側回路１３で発生した電位差を検出して所定の電圧を生じさせる電子回路が設けられてもよい。
【００２２】
漏電安全装置１は、漏電検出部１１から出力された電圧に基づいて、一対の電源ライン４ａ，４ｂの遮断状態および導通状態の何れかに切り替えるリレー１８を備えている。さらに、漏電安全装置１は、リレー１８の遮断状態を維持するためのラッチ回路１９と、リレー１８およびラッチ回路１９等を駆動させるための内部電源回路２０と、を備えている。
【００２３】
リレー１８は、各電源ライン４ａ，４ｂの遮断または導通を切り替えるリレースイッチ１８ａ，１８ｂと、当該リレースイッチ１８ａ，１８ｂの状態切り替えを行う切替コイル１８ｃと、を備えている。リレースイッチ１８ａ，１８ｂは、切替コイル１８ｃに電流が流れない場合に導通状態となり、切替コイル１８ｃに電流が流れる場合に遮断状態となるノーマリオンに構成されている。ラッチ回路１９は、漏電検出部１１の動作ＩＣ１５から出力された電圧に基づいてリレー１８の切替コイル１８ｃに電流を継続して流すように構成されている。
【００２４】
ラッチ回路１９は、電源１７とグランド２１との間に設けられたサイリスタ２２と、動作ＩＣ１５から出力された電圧に基づいてサイリスタ２２のゲート端子に入力する経路のノイズ除去のためのコンデンサ２３および抵抗２４と、を備えている。さらに、ラッチ回路１９は、サイリスタ２２と直列に接続された発光ダイオード２５を備えている。
【００２５】
漏電検出部１１が漏電を検出していない場合、サイリスタ２２はオフ状態（アノード−カソード間が遮断状態）となっている。漏電検出部１１が漏電を検出し、動作ＩＣ１５から電圧が出力された場合、サイリスタ２２のゲート端子に所定の電流が流れ、サイリスタ２２がオンする。これにより、切替コイル１８ｃとサイリスタ２２とを介して内部電源回路２０とグランド２１とが導通状態となる。このとき、発光ダイオード２５が点灯し、漏電状態を報知する。
【００２６】
サイリスタ２２を介して内部電源回路２０とグランド２１とが導通状態となることにより、リレー１８の切替コイル１８ｃに電流が流れる。これにより、導通状態となっていたリレースイッチ１８ａ，１８ｂが遮断状態となる。このようにして、リレー１８は、漏電を検出した場合に、一対の電源ライン４ａ，４ｂを遮断する。
【００２７】
本実施の形態において、漏電安全装置１は、スイッチ操作により、リレー１８による一対の電源ライン４ａ，４ｂの遮断状態を解除するためのリセット経路２６が閉成されるリセット回路２７を備えている。リセット経路２６は、ラッチ回路１９の発光ダイオード２５およびサイリスタ２２を接続する経路と並列に配置される。リセット回路２７は、電源１７とグランド２１との間に介装されたスイッチ２８と、リセット経路２６を遮断するリセット経路遮断部２９と、を備えている。例えば、スイッチ２８は、開放（遮断）状態から閉成（導通）状態に遷移するための押圧操作が行われている場合にのみ閉成状態を維持するように、スイッチ２８の接点には、閉成状態から開放状態へ向けて付勢力が付与されている。リセット経路遮断部２９は、出力部６に電源装置３が接続されている場合に、リセット経路２６を遮断するように構成される。
【００２８】
漏電安全装置１は、出力部６に電源装置３が接続されているか否かを検出する接続検出経路３０を備え、リセット経路遮断部２９は、接続検出経路３０が閉成された場合にリセット経路２６を遮断するよう構成されている。リセット経路遮断部２９は、リセット経路２６上に一対の主端子（ドレイン端子およびソース端子）が配置される電界効果トランジスタ（ＦＥＴ）３１を含んでいる。接続検出経路３０は、ＦＥＴ３１の制御端子（ゲート端子）に接続される。接続検出経路３０は、漏電安全装置１に電源装置３が接続された状態でＦＥＴ３１の一方の主端子（ソース端子）とゲート端子とが同電位（グランド電位）となるように構成される。また、リセット回路２７は、漏電安全装置１に電源装置３が接続されていない状態でＦＥＴ３１の一方の主端子（ソース端子）における電位（グランド電位）より高い所定の電圧がゲート端子に印加するように構成される。具体的には、リセット回路２７は、ＦＥＴ３１のゲート端子に電源１７とグランド２１との間の電圧を分圧して印加する分圧抵抗３２，３３と、分圧抵抗３２，３３による電圧を安定化するコンデンサ３４とを備えている。
【００２９】
接続検出経路３０は、一部が電源装置３側に設けられている。すなわち、接続検出経路３０は、漏電安全装置１に設けられる漏電安全装置側接続検出経路部３６と、電源装置３に設けられる電源装置側接続検出経路部３５とを含んでいる。漏電安全装置１は、出力部６に電源装置３が接続された状態で接続検出経路３０が閉成されるように構成されている。
【００３０】
出力コネクタ７は、一対の電源ライン４ａ，４ｂのそれぞれに接続される第１ポート７ａおよび第２ポート７ｂと、接続検出経路３０の電源装置側の経路（電源装置側接続検出経路部）３５における第１端部３５ａに接続するための第３ポート７ｃと、電源装置側接続検出経路部３５における第２端部３５ｂに接続するための第４ポート７ｄと、を備えている。入力コネクタ９も、出力コネクタ７の第１ポート７ａ〜７ｄに対応する第１ポート９ａ〜９ｄを備えている。
【００３１】
漏電安全装置１に電源装置３が接続されていない状態では、接続検出経路３０が閉成されないため、リセット経路遮断部２９のＦＥＴ３１のゲート端子にはソース端子（グランド電位）より高い所定の電圧（分圧抵抗３２，３３による電圧）が印加され、ＦＥＴ３１がオン状態となる。したがって、スイッチ２８の操作に応じてリセット経路２６が閉成可能となる。漏電を検出した状態において、スイッチ２８を操作してリセット経路２６が閉成されると、当該リセット経路２６に電流が流れることになり、サイリスタ２２が遮断状態となり、その後スイッチ２８の押圧操作を止めるとリセット経路２６が開放され、リレー１８の切替コイル１８ｃに電流が流れなくなる。これにより、リレー１８のリレースイッチ１８ａ，１８ｂが遮断状態から接続状態にリセットされる。
【００３２】
一方、漏電安全装置１に電源装置３が接続されている状態では、接続検出経路３０が閉成されるため、リセット経路遮断部２９のＦＥＴ３１のゲート端子とソース端子とは同電位（グランド電位）となり、ＦＥＴ３１はオフ状態となる。したがって、スイッチ２８の操作に拘わらず、リセット経路２６が遮断状態となる。これにより、スイッチ２８の操作によってリレー１８のリレースイッチ１８ａ，１８ｂが遮断状態から接続状態にリセットされることが防止される。
【００３３】
上記構成によれば、漏電安全装置１に電源装置３が接続されている場合には、リセット経路遮断部２９によりリセット経路２６が遮断されているため、リセット回路２７のスイッチ２８を操作してリセット経路２６を閉成しようとしてもリセット経路２６は閉成されない。したがって、漏電安全装置１に電源装置３が接続されている状態では、一旦リレー１８が遮断状態になった後、当該遮断状態がリセットされて一対の電源ライン４ａ，４ｂが導通状態になることを防止することができる。これにより、簡単な構成で、リセット操作を行っても電源装置３または漏電安全装置１が損傷することを防止することができる。
【００３４】
また、リセット経路２６を遮断するための接続検出経路３０の一部が電源装置３側に設けられているため、漏電安全装置１に電源装置３が接続されていない場合にのみ、リセット経路２６を導通可能とする構成を簡単な構成で実現することができる。さらに、漏電安全装置１における一対の電源ライン４ａ，４ｂを電源装置３に接続するための出力コネクタ７に、漏電安全装置１側の接続検出経路（漏電安全装置側接続検出経路部）３６と電源装置３側の接続検出経路（電源装置側接続検出経路部）３５とを接続するためのポート７ｃ，７ｄが設けられる。したがって、漏電安全装置１に電源装置３がコネクタ７，９を介して接続されると同時に接続検出経路３０が閉成されるため、漏電安全装置１に電源装置３が接続された状態において確実にリセット経路２６を遮断することができる。
【００３５】
本実施の形態において、漏電安全装置１は、一対の電源ライン４ａ，４ｂの一方（４ａ）に接続されるテスト回路３７を備えている。テスト回路３７は、一方の電源ライン４ａとグランド２１との間に直列接続されるスイッチ３８および抵抗３９を備えている。テスト回路３７は、スイッチ３８を操作することにより、一方の電源ライン４ａを所定の基準電圧源（本例においてはグランド２１）に接続して一対の電源ライン４ａ，４ｂのそれぞれに流れる電流の大きさの相違を発生させるように構成されている。これによれば、スイッチ操作により、一対の電源ライン４ａ，４ｂのそれぞれに流れる電流の大きさの相違を生じさせて、漏電を模擬させることができる。このようなテスト回路３７を設けた場合であっても、漏電安全装置１に電源装置３が接続されている状態では、リセット操作によりリレー１８の遮断状態が解除されるのを有効に防止することができる。
【００３６】
図２は、図１に示す漏電安全装置および電源装置の外観を示す概略斜視図である。図２に示すように、漏電安全装置１は、筐体の外面にリセット回路２７のスイッチ２８、テスト回路３７のスイッチ３８およびラッチ回路１９の発光ダイオード２５が設けられている。さらに、漏電安全装置１は、筐体の外面に入力部５および出力部６の一部として端子台が設けられ、各端子台にケーブルハーネス４０が取り付けられる。出力部６の端子台は、出力コネクタ７の４つのポート７ａ〜７ｄに対応して４つ設けられる。本実施の形態において、出力コネクタ７は４つのポート７ａ〜７ｄが一体化された１つのコネクタとして形成されている。これに対応して電源装置３の入力部８である入力コネクタ９は、１つの開口部を有し、内部に４つのポート９ａ〜９ｄを有している。
【００３７】
なお、漏電安全装置１の出力部６および電源装置３の入力部８の構成はこれに限られず、種々の構成が採用可能である。図３は、本実施の形態における漏電安全装置の出力部および電源装置の入力部の他の例を示す図である。図３（ａ）の例では、漏電安全装置１Ｂの出力部６Ｂとして漏電安全装置１Ｂに端子台を設けることなく出力コネクタ７Ｂが形成されている。また、電源装置３Ｂの出力部８Ｂとしてケーブルハーネス４０を介して入力コネクタ９Ｂが設けられている。また、図３（ｂ）の例では、出力コネクタ７および入力コネクタ９を用いずに、漏電安全装置１Ｃに設けられた端子台自体が出力コネクタ７Ｃとして機能する。図３（ｂ）の例では、ケーブルハーネス４０が電源装置３Ｃに設けられているが、ケーブルハーネス４０を漏電安全装置１Ｃに設けてもよい。
【００３８】
以上、本発明の実施の形態について説明したが、本発明は上記実施の形態に限定されるものではなく、その趣旨を逸脱しない範囲内で種々の改良、変更、修正が可能である。
【００３９】
例えば、上記実施の形態においては、接続検出経路３０の一部が電源装置３側に設けられている例について説明したが、これに限られない。図４は、本実施の形態の変形例１における漏電安全装置および電源装置の概略構成を示す図である。また、図５は、本実施の形態の変形例２における漏電安全装置および電源装置の概略構成を示す図である。図４（ａ）および図５（ａ）は漏電安全装置１Ｄ，１Ｅと電源装置３Ｄ，３Ｅとの接続が解除された状態を示し、図４（ｂ）および図５（ｂ）は漏電安全装置１Ｄ，１Ｅと電源装置３Ｄ，３Ｅとが接続された状態を示す。図４および図５において、一対の電源ライン４ａ，４ｂ、リセット回路２７および接続検出経路３０Ｄ，３０Ｅ以外の構成については図示を省略している。
【００４０】
図４の変形例１において、漏電安全装置１Ｄは、接続検出経路３０Ｄを遮断する遮断スイッチ４１を備えている。遮断スイッチ４１は、漏電安全装置１Ｄの出力部６近傍に設けられる。遮断スイッチ４１は、電源装置３Ｄの接続方向に対向する方向（接続解除方向）かつ電源装置３Ｄが接続されていない状態において接続検出経路３０Ｄが遮断状態となるように付勢されている。また、電源装置３Ｄには、漏電安全装置１Ｄの遮断スイッチ４１対応箇所に、漏電安全装置１に電源装置３Ｄが接続されている状態で遮断スイッチ４１を電源装置３Ｄの接続方向に押圧する押圧部４２が設けられている。
【００４１】
図５の変形例２において、漏電安全装置１Ｅは、接続検出経路３０Ｅの一部が移動することにより接続検出経路３０Ｅを遮断状態にする遮断部４３を備えている。遮断部４３は、漏電安全装置１Ｅの出力部６近傍に設けられる。遮断部４３は、電源装置３Ｅの接続方向に対向する方向（接続解除方向）かつ電源装置３Ｅが接続されていない状態において接続検出経路３０Ｅが遮断状態となるように付勢されている。遮断部４３は、接続検出経路３０Ｅの遮断状態において、電源装置３Ｅの接続箇所において外部に突出する突出片４３ａを有している。電源装置３Ｅが漏電安全装置１Ｅに接続された場合、突出片４３ａが漏電安全装置１Ｅに押圧されることにより接続検出経路３０Ｅが接続状態となるように遮断部４３が付勢力に抗して移動する。
【００４２】
以上のような構成においても、電源装置３Ｄ，３Ｅの漏電安全装置１Ｄ，１Ｅの接続状態においては、接続検出経路３０Ｄ，３０Ｅが閉成され、当該接続状態が解除された状態においては、接続検出経路３０Ｄ，３０Ｅが遮断される。したがって、漏電安全装置１Ｄ，１Ｅに電源装置３Ｄ，３Ｅが接続された状態において確実にリセット経路２６を遮断することができる。
【００４３】
なお、上記のような接続検出経路３０，３０Ｄ，３０Ｅを設ける構成について説明したが、漏電安全装置１，１Ｄ，１Ｅに電源装置３，３Ｄ，３Ｅが接続されている場合に、リセット経路２６が直接的に遮断されるように構成されてもよい。図６は、本実施の形態の変形例３における漏電安全装置および電源装置の概略構成を示す図である。図６の変形例３において、漏電安全装置１Ｆは、リセット経路２６に、ＦＥＴ３１の代わりに、図５のような遮断部４４が設けられている。本例の遮断部４４は、漏電安全装置１Ｆの出力部６近傍に設けられる。遮断部４４は、電源装置３Ｆの接続方向に対向する方向（接続解除方向）かつ電源装置３Ｆが接続されていない状態において接続検出経路３０Ｆが接続状態となるように付勢されている。遮断部４４は、接続検出経路３０Ｆの遮断状態において、電源装置３Ｆの接続箇所において外部に突出する突出片４４ａを有している。電源装置３Ｆが漏電安全装置１Ｆに接続された場合、突出片４４ａが漏電安全装置１Ｆに押圧されることによりリセット経路２６が遮断状態となるように遮断部４４が付勢力に抗して移動する。
【００４４】
このような構成においても、漏電安全装置１Ｆに電源装置３Ｆが接続された状態において確実にリセット経路２６を遮断することができる。
【００４５】
［給湯装置への適用例］
以下、上記漏電安全装置１，１Ｂ〜１Ｆおよび電源装置３，３Ｂ〜３Ｆが適用される給湯装置の例を示す。図７は、本実施の形態における漏電安全装置が適用される給湯装置の一例を示す作動原理図である。図７に示す給湯装置２０１は、給湯機能と風呂の追い焚き機能とを備えた多機能型の給湯装置である。給湯装置２０１は、燃料ガスを燃焼する燃焼装置２０２と、燃焼装置２０２へ燃料ガスを供給する燃料ガス供給路２２１と、燃焼装置２０２に空気を供給する送風機２２２と、給湯流路２０３と、追い焚き流路２０４と、追い焚き流路２０４に設けられた風呂ポンプ２４１と、コントローラ２０５とを備えている。さらに、給湯装置２０１は、燃焼装置２０２で生じた潜熱を回収した際に生じたドレンを回収するためのドレン回収機構２０７を備えている。なお、図７においては、給湯流路２０３における、入水温度センサ、出湯温度センサ等の各種センサの図示を省略している。また、図７においては、給湯流路２０３から分岐され、追い焚き流路２０４へ接続される浴槽注湯路、およびその浴槽注湯路に備えられる注湯開閉弁の図示を省略している。
【００４６】
燃焼装置２０２にはバーナ部２２４が設けられており、このバーナ部２２４に燃料ガス供給路２２１から燃料ガスが供給される。燃料ガス供給路２２１には、燃料ガスの供給と遮断とを切り替える元ガス電磁弁２２５と、燃料ガスの供給量を調整するためのガス比例弁２２６とが設けられている。また、バーナ部２２４には、風呂ガス電磁弁２３０、複数の給湯能力切替ガス電磁弁２２８、および給湯ガス電磁弁２２９が設けられている。
【００４７】
給湯流路２０３は、水道等から送給された水を給水入口２３１から後述する給湯側熱交換部２３３へ送る往路部２３２と、水を燃焼装置２０２で生成された燃焼ガスと熱交換させて加熱する給湯側熱交換部２３３と、湯を給湯側熱交換部２３３から給湯出口２３４へ送る復路部２３５とを形成する配管から構成されている。復路部２３５には、給湯の水量と温度とを調整するために、給湯水量を調整する給湯水量調整弁２３６と、水と湯との混合比率を調整する混合弁２３７が設けられている。
【００４８】
追い焚き流路２０４は、風呂水を戻り口２４２から後述する追い焚き側熱交換部２４４へ送る戻り部２４３と、風呂水を燃焼装置２０２で生成された燃焼ガスと熱交換させて加熱する追い焚き側熱交換部２４４と、加熱された風呂水を追い焚き側熱交換部２４４から往き口２４５へ送る往き部２４６とを形成する配管から構成されている。風呂ポンプ２４１は、追い焚き流路２０４のうち戻り部２４３に設けられている。
【００４９】
ドレン回収機構２０７は、給湯側熱交換部２３３および追い焚き側熱交換部２４４で生じた排ガス中の水蒸気が凝集した凝集水が流れるドレン排水路２５０と、凝集水を中和するための中和器２４７と、中和された凝集水を一時貯留するドレンタンク２４８と、ドレンタンク２４８に貯留された凝集水をドレン排出口２５１から外部へ排出するためのドレンポンプ２４９とを備えている。
【００５０】
送風機２２２、風呂ポンプ２４１およびドレンポンプ２４９は、駆動部としてＤＣモータを備えている。風呂ポンプ２４１およびドレンポンプ２４９は、配管に湯水またはドレンを流通させるための圧送ポンプとして構成され、ＤＣ１４１Ｖを含む所定の動作許容電圧範囲を有している。
【００５１】
コントローラ２０５は、制御装置２０８およびスイッチング電源装置２０６（以下、単に「電源装置２０６」と表すことがある）を含んでいる。制御装置２０８は、ＣＰＵ、ＲＯＭ、およびＲＡＭ等で構成されたマイクロコントローラや集積回路を備えている。制御装置２０８には、送風機２２２、風呂ポンプ２４１およびドレンポンプ２４９をはじめとする各電装品等との間に、各電装品等を制御する信号経路（図示略）が設けられている。コントローラ２０５は、制御装置２０８に記憶された制御プログラムに従って給湯装置２０１の各種制御を実行する。制御プログラムには、各電装品の運転に関する各種プログラムが含まれており、これらのプログラムに基づいて各電装品の制御が行われる。
【００５２】
コントローラ２０５には、図示されない外部電源（図１に示す外部電源２）から電力が供給され、電源装置２０６によって、この給湯装置２０１で用いられる電源（例えば各ポンプを駆動するＤＣ１４１Ｖ電源やその他の機器を駆動するＤＣ１５Ｖ電源等）が生成される。電源装置２０６により必要に応じた電圧に変換されて、制御装置２０８や、燃焼装置２０２、送風機２２２、風呂ポンプ２４１、ドレンポンプ２４９、各種電磁弁、各種センサ等の各電装品へ供給される。電源装置２０６と外部電源との間には、上記実施の形態で説明した漏電安全装置１，１Ｂ〜１Ｆの何れかが適用され、電源装置２０６は、対応する電源装置３，３Ｂ〜３Ｆの何れかが適用される。
【００５３】
以上のような給湯装置２０１の給湯機能および風呂の追い焚き機能に加えて温水暖房機能を備えた給湯装置等、本実施の形態における漏電安全装置は、給湯機能、風呂の追い焚き機能、および、温水暖房機能のうちの少なくとも何れか１つの機能を備えている給湯装置に適用可能である。
【００５４】
以上のような給湯装置２０１において、本実施の形態における漏電安全装置が適用されることにより、電源装置が接続された状態でリセット操作を行っても電源装置または漏電安全装置が損傷することを防止することができる。これにより、実際に漏電が生じた場合に漏電安全装置１の後段の回路または負荷から漏洩電流が流れることを防止し、水場に近い場所で操作することの多いユーザの感電を有効に防止することができる。
【産業上の利用可能性】
【００５５】
本発明の漏電安全装置および給湯装置は、簡単な構成で、電源装置が接続された状態でリセット操作を行っても電源装置または漏電安全装置が損傷することを防止するために有用である。
【符号の説明】
【００５６】
１，１Ｂ〜１Ｆ  漏電安全装置
２  外部電源
３，３Ｂ〜３Ｆ  電源装置
４ａ，４ｂ  一対の電源ライン
６，６Ｂ  出力部
７，７Ｂ，７Ｃ  コネクタ（出力コネクタ）
７ａ〜７ｄ  第１〜第４ポート
１１  漏電検出部
１８  リレー
２６  リセット経路
２７  リセット回路
２９  リセット経路遮断部
３０，３０Ｄ，３０Ｅ  接続検出経路
３５  電源装置側接続検出経路部
３５ａ  第１端部
３５ｂ  第２端部
３７  テスト回路
２０１  給湯装置
【図１】
0006696320.tif 000002
【図２】
0006696320.tif 000003
【図３】
0006696320.tif 000004
【図４】
0006696320.tif 000005
【図５】
0006696320.tif 000006
【図６】
0006696320.tif 000007
【図７】
0006696320.tif 000008